【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
レンズ装置を着脱自在に装着可能なマウントと、前記マウントが設けられているマウント面よりも光軸方向における前側に向かって突出する少なくとも２つの突出部とを有する装置本体を備え、
前記少なくとも２つの突出部の前記光軸方向における突出量が略同一であることを特徴とする撮像装置。
【請求項２】
前記突出部のうちの少なくとも１つの前記光軸方向と直交する高さ方向における厚みが前記光軸方向において異なることを特徴とする請求項１の撮像装置。
【請求項３】
前記突出部のうちの少なくとも１つの前記光軸から遠い側に位置する面が前記光軸と略平行な平面を形成していることを特徴とする請求項１又は２に記載の撮像装置。
【請求項４】
前記突出部のうちの少なくとも１つが外部アクセサリを取り付けるための取り付け部を備えることを特徴とする請求項１乃至３のいずれか１項に記載の撮像装置。
【請求項５】
前記突出部のうちの少なくとも１つが前記外部アクセサリと通信するための電気接点を備えることを特徴とする請求項１乃至４のいずれか１項に記載の撮像装置。
【請求項６】
装置本体の第１の側面と前記第１の側面と対向する第２の側面の少なくとも一方に無線ＬＡＮ用のアンテナが配置されていることを特徴とする請求項１乃至５のいずれか１項に記載の撮像装置。
【請求項７】
装置本体の第１の側面と前記第１の側面と対向する第２の側面の少なくとも一方に無線ＬＡＮ用のアンテナを取り付けるためのコネクタが設けられていることを特徴とする請求項１乃至５のいずれか１項に記載の撮像装置。
【請求項８】
前記装置本体の前面側における内部には、前記レンズ装置によって取得された被写体光学像を電気信号に変換する撮像素子が設けられていることを特徴とする請求項１乃至７のいずれか１項に記載の撮像装置。
【請求項９】
前記撮像素子は、複数の位相差検出用画素を備えていることを特徴とする請求項８に記載の撮像装置。
【請求項１０】
前記マウントのマウント面から前記撮像素子の撮像面までの距離であるフランジバックが２０ｍｍ以下であり、前記マウントの内径が４５ｍｍ以上に設定されていることを特徴とする請求項８または９に記載の撮像装置。
【請求項１１】
前記マウントは前記フランジバックを確保するためのリング状のマウント基準面を備え、前記マウント基準面の内側には周方向の３箇所にバヨネット爪が設けられていることを特徴とする請求項１０に記載の撮像装置。
【請求項１２】
前記３箇所のバヨネット爪よりも内側の領域には、前記レンズ装置と通信を行うためのカメラ側接点部が設けられていることを特徴とする請求項１１に記載の撮像装置。
【請求項１３】
前記カメラ側接点部は１２ピンの電気接点を備えていることを特徴とする請求項１２に記載の撮像装置。
【請求項１４】
前記１２ピンの電気接点の両端部には、前記撮像装置と前記レンズ装置との間で行われる通信制御に用いられる電力を前記撮像装置の電源部からレンズ装置に供給するために用いられる電力供給端子と、前記撮像装置と前記レンズ装置の通信制御系回路をグラウンドに接続する接地端子がそれぞれ設けられていることを特徴とする請求項１３に記載の撮像装置。
【請求項１５】
前記電力供給端子によって前記レンズ装置に供給される電力の電圧は５．０Ｖに設定されていることを特徴とする請求項１４に記載の撮像装置。
【手続補正２】
【補正対象書類名】明細書
【補正対象項目名】００１０
【補正方法】変更
【補正の内容】
【００１０】
【図１】本発明の実施形態における撮像装置を表す前方斜視図。
【図２】本発明の実施形態における撮像装置を表す後方斜視図。
【図３】本発明の実施形態における撮像装置の内部主要部品を表す前方分解斜視図。
【図４】本発明の実施形態における撮像装置の内部主要部品を表す後方分解斜視図。
【図５】本発明の実施形態における撮像装置にレンズ装置を装着した状態を表す右側面図。
【図６】本発明の実施形態における撮像装置を表す上面図。
【図７】図６における電気接点の拡大上面図。
【図８】本発明の実施形態における撮像装置を表す右側面図。
【図９】図８におけるＡ−Ａ断面図。
【図１０】本発明の実施形態における撮像装置を右側面下側に置いた状態を表す図。
【図１１】本発明の実施形態における撮像装置を表す前方斜視図。
【図１２】本発明の実施形態における撮像装置を表す後方斜視図。
【図１３】本発明の実施形態における撮像装置を表す上面図。
【図１４】本発明の実施形態における撮像装置を右側面下側に置いた状態を表す図。
【図１５】本発明の実施形態における撮像装置の概略構成を示すブロック図。
【図１６】本発明の実施形態における撮像装置およびレンズ装置のマウントの概略図。
【図１７】本発明の実施形態における撮像装置にレンズ装置が接続された状態での回路構成を示すブロック図。
【図１８】本発明の実施形態における第２の通信のフローを示すフローチャート図。
【図１９】本発明の実施形態における撮像装置を表す左側面図および後方斜視図。
【図２０】本発明の実施形態における撮像装置を表す左側面図および後方斜視図。
【図２１】本発明の実施形態における撮像装置を表す左側面図および後方斜視図。
【図２２】本発明の実施形態における撮像装置を表す左側面図および後方斜視図。
【手続補正３】
【補正対象書類名】明細書
【補正対象項目名】００２７
【補正方法】変更
【補正の内容】
【００２７】
撮像装置１０００の後面側には、バッテリー１０７０を収納するバッテリー収納部１０２０、外部接続端子および電源端子などの外部入出力端子群１０２１が設けられる。バッテリー収納部１０２０を上下に２箇所配置することで、片方のバッテリーが切れた際にも他方のバッテリーから給電が可能となり、カメラの電源を落とすことなくバッテリーを交換することで連続して使用することが可能となる。
【手続補正４】
【補正対象書類名】明細書
【補正対象項目名】００３６
【補正方法】変更
【補正の内容】
【００３６】
撮像素子基板１３０２から出力される画像信号や、レンズ接点部１００２と接続したレンズ装置３０００のレンズ通信信号、ＮＤユニット１３０５の制御信号は、ワイヤーなどの内部配線（不図示）によってメインユニット１４００のメイン基板１４０１に送信される。
【手続補正５】
【補正対象書類名】明細書
【補正対象項目名】００４７
【補正方法】変更
【補正の内容】
【００４７】
撮像装置１０００は、レンズ通信部１８００、センサ基板１３０２に実装された撮像素子１００６、メイン基板１４０１、カード基板１５０２、マイク部１０１２を備える。さらに、外部入出力端子群１０２１、着脱可能なバッテリー１０７０、操作部１０４４、ファン１４０４、表示部１０４０を備える。また、ＣＰＵ２０４１、ＲＯＭ２０４２及びＲＡＭ２０４３は、メイン基板１４０１に実装されている。
【手続補正６】
【補正対象書類名】明細書
【補正対象項目名】００４８
【補正方法】変更
【補正の内容】
【００４８】
ＲＯＭ２０４２は、電気的に消去・記憶が可能なメモリであって、例えば、ＥＥＰＲＯＭ等が用いられる。ＲＯＭ２０４２には、ＣＰＵ２０４１の動作用の定数及びプログラム等が記憶される。ＣＰＵ２０４１は、ＲＯＭ２０４３に記憶されたプログラムを実行して撮像装置１０００を構成する各部の動作を制御することにより、撮像装置１０００の統括的な制御を実現する。
【手続補正７】
【補正対象書類名】明細書
【補正対象項目名】００５０
【補正方法】変更
【補正の内容】
【００５０】
撮像素子１００７は、ＣＣＤセンサ又はＣＭＯＳセンサであり、Ａ／Ｄ変換器を有する。撮像装置１０００に装着されたレンズ装置３０００が入射光を撮像素子１００７に光学像として結像させる。撮像素子１００６は、結像した光学像をアナログ電気信号に変換し、さらにＡ／Ｄ変換器によりデジタル信号に変換して映像信号として出力する。生成されたデジタル映像信号は、メイン基板１４０１上の映像信号処理部２１４６に出力される。
【手続補正８】
【補正対象書類名】明細書
【補正対象項目名】００５６
【補正方法】変更
【補正の内容】
【００５６】
マイク部１０１２から入力された音声信号は、所定レベルにゲインコントロールされた後にＡ／Ｄ変換され、デジタルデータの音声データに変換される。映像データや音声データは、ＲＡＭ２０４３に一時記憶される。
【手続補正９】
【補正対象書類名】明細書
【補正対象項目名】００５９
【補正方法】変更
【補正の内容】
【００５９】
操作部１０４４は、使用者の操作による指示をＣＰＵ２０４１に伝える。操作部１０４４は、ＲＥＣボタン１０１０や電源スイッチ、操作キー１０１１（図１参照）などを含む。
【手続補正１０】
【補正対象書類名】明細書
【補正対象項目名】０１２１
【補正方法】変更
【補正の内容】
【０１２１】
＜前側突出部の構成＞
図１、図２、図５〜図７を用いて、撮像装置１０００の前面に設けられた上側突出部１１００と下側突出部１１０１について説明する。図５は、撮像装置１０００にレンズ装置を装着した右側面図である。また、図６は、撮像装置１０００の上面図である。また、図７は、図６における電気接点１０４３の拡大図である。
【手続補正１１】
【補正対象書類名】明細書
【補正対象項目名】０１３７
【補正方法】変更
【補正の内容】
【０１３７】
例えば、上側突出部１１００と下側突出部１１０１に加えて、さらに撮像装置１０００の左側から光軸方向の前側に向かって延びる左側突出部と撮像装置１００の右側から光軸方向の前側に向かって延びる右側突出部を設けてもかまわない。その場合、上側突出部１１００や下側突出部１１０１のＸ方向（撮像装置１０００の左右方向）における長さが、上記した本実施形態より短い構成にしてもよい。また、上側突出部や下側突出部を設けずに、右側突出部と左側突出部のみを設ける構成でもよい。さらに、上側突出部、下側突出部、左側突出部、および右側突出部のうち、２つ以上の突出部を設けた構成でもよい。
【手続補正１２】
【補正対象書類名】明細書
【補正対象項目名】０１３８
【補正方法】変更
【補正の内容】
【０１３８】
＜側面側突出部の構成＞
図８〜図１０を用いて、左側面カバー突出部１０３１と右側面カバー突出部１０１６の詳細な構成について説明する。図８は撮像装置１０００の右側面図である。図９は撮像装置１０００の断面図であり、図８におけるＡ−Ａ断面図である。また、図１０は撮像装置１０００の右側面を下側にして置いた状態を示す図である。
【手続補正１３】
【補正対象書類名】明細書
【補正対象項目名】０１５５
【補正方法】変更
【補正の内容】
【０１５５】
図１１、図１２に示すように、撮像装置２０００の左側面カバー２０３０は、主たる面である左側面カバー第１面２０３０ａよりも突出する左側面カバー突出部２０３１と、第２の左側面カバー突出部２０３３を有する。左側面カバー突出部２０３１には、撮像装置２０００の内部に配置されたファン１４０４（図４）の駆動によって外部から低温の空気を撮像装置２０００の内部に吸い込むための吸気口２０３２が複数形成されている。
【手続補正１４】
【補正対象書類名】明細書
【補正対象項目名】０１６０
【補正方法】変更
【補正の内容】
【０１６０】
第２の左側面カバー突出部２０３３の突出高さＨ３は、左側面カバー突出部２０３１の突出高さＨ１と異なる。第２の右側面カバー突出部２０１９の突出高さＨ４は、右側面カバー突出部２０１６の突出高さＨ２と異なる。本実施例では、高さＨ３は高さＨ１よりも低く、高さＨ４は高さＨ２よりも低い。なお、高さＨ３は高さＨ１よりも高くてもよく、高さＨ４は高さＨ２よりも高くてもかまわない。
【手続補正１５】
【補正対象書類名】明細書
【補正対象項目名】０１６１
【補正方法】変更
【補正の内容】
【０１６１】
図１４のように、撮像装置２０００の右側面を下側にして地面等に置いた場合でも、右側面カバー突出部２０１６の稜線と、第２の右側面カバー突出部２０１９の稜線が地面等に当接する。また、撮像装置２０００の左側面を下側にして地面等に置いた場合でも、左側面カバー突出部２０３１の稜線と、第２の左側面カバー突出部２０３３の稜線が地面等に当接する。そのため、吸気口２０３２及び排気口２０１７が地面等に当接することで塞がれることがないため、撮像装置２０００の排熱効率低下に伴う内部の温度上昇による故障を防ぐことが可能となる。